(57)【要約】  本発明は、低圧ガス放電を生成及び維持するための手段を備えるガス放電容器を有する低圧ガス放電ランプに関する。本発明の目的は、インジウム化合物を備えるガス充填物を含む低圧ガス放電ランプの光源効率を向上させることにある。本発明によれば、これは、より少ない発光プロセスが用いられる低圧ガス放電ランプによって達成される。前記低圧ガス放電ランプは、ハロゲン化インジウムInX、又は幾つかのハロゲン化インジウムの混合物をベースにしたガス充填物を収容するガス放電容器を有し、ここで、X = F、Cl、Br、Iである。特有の特徴として、前記ガス充填物は、ハロゲン化ナトリウムNaX、又は幾つかのハロゲン化ナトリウムの混合物を更に含み、ここで、X = F、Cl、Br、Iである。１つ以上のハロゲン化ナトリウムから成る付加的な構成要素は、５９０ナノメートルの範囲の光を放射する。その場合、白色光を得るために赤色蛍光体を使用することは不要である。前記ガス放電は、４５１ナノメートルの波長を持つ光、ＵＶ放射線を変換する１つ以上の蛍光体の青色及び緑色の光、並びに５９０ナノメートルの波長を持つ光を放射する。【特許請求の範囲】
【請求項１】
ハロゲン化インジウムInX、又は幾つかのハロゲン化インジウムの混合物をベースにしたガス充填物を収容するガス放電容器を有し、ここで、X = F、Cl、Br、Iである低圧ガス放電ランプであって、前記ガス充填物が、ハロゲン化ナトリウムNaX、又は幾つかのハロゲン化ナトリウムの混合物を更に含み、ここで、X = F、Cl、Br、Iであることを特徴とする低圧ガス放電ランプ。
【請求項２】
前記ガス放電容器内に、モル比n(InX) : n(NaX) < 1%であるモノハロゲン化インジウムInXを収容することを特徴とする請求項１に記載の低圧ガス放電ランプ。
【請求項３】
前記ガス放電容器内に、モル比n(InX) : n(NaX) < 10-4であるモノハロゲン化インジウムInXを収容することを特徴とする請求項２に記載の低圧ガス放電ランプ。
【請求項４】
X = Brであることを特徴とする請求項１乃至３のいずれか一項に記載の低圧ガス放電ランプ。
【請求項５】
前記蛍光体及び前記ガス充填物の構成要素が、可視領域内の白色光を形成する前記ガス放電からの放射物と一緒の前記蛍光体層からの放射物を得るために、選ばれることを特徴とする請求項１乃至４のいずれか一項に記載の低圧ガス放電ランプ。
【発明の詳細な説明】
【技術分野】
【０００１】
本発明は、低圧ガス放電を生成及び維持する手段を備えるガス放電容器を有する低圧ガス放電ランプに関する。
【背景技術】
【０００２】
低圧ガス放電ランプにおける光の生成は、電荷担体、とりわけ電子であるが、イオンも、電極で又は電極なしに、即ち、容量的に又は誘導的に、ランプに結合される電界によって、非常に強く加速され、ランプのガス充填物中のガスの原子又は分子との衝突が、ガスの原子又は分子を励起又はイオン化させる原理に基づいている。より低い状態又は基底状態に戻る際、励起エネルギの略々かなりの部分が放射線に変換される。
【０００３】
従来の低圧ガス放電ランプは、ガス充填物中に水銀を含むが、低圧ガス放電ランプのガス充填物中の水銀は、より無害且つ無毒な他の物質で代用され得ることが既に知られている。
【０００４】
例えば、インジウム化合物は、好ましいガス充填物である。放電の放射物(emission)は、４１０及び４５１ナノメートル、３０４及び３２６ナノメートル、並びに３２０ナノメートルと４５０ナノメートルとの間の連続(continuum)におけるインジウムの特有の揮線(characteristic emission lines)から成る。用いられるインジウム化合物の詳細な選択は、前記連続の正確な位置を決定する。
【０００５】
照明目的のための従来の低圧ガス放電ランプの一般的な不利な点は、ガス充填物中の物質が、主として、電磁スペクトルの、短波、高エネルギ、更に不可視の領域内の放射線を放射し、前記放射線は、まず、蛍光体によって、ずっと低いエネルギレベルを持つ可視放射線に変換されなければならないことにある。インジウムでは、４５１ナノメートルにおける特有の揮線は、青色光を供給するが、他の全ての揮線は、不可視領域に含まれる。
【０００６】
それ故、低圧ガス放電ランプは、スペクトルの目的とする領域において放射する少なくとも１つの蛍光体を含む蛍光体層を有する。アプリケーションに応じて、適切な蛍光体層によって、或る領域内の様々な波長を持つ放射線が供給される。 
【０００７】
ドイツ特許出願公開番号第100 44 562 A1号公報は、蛍光体と共に、インジウム化合物及びバッファガスを含む充填物を備えるガス放電容器を有する低圧ガス放電ランプを開示している。放電放射線の可視光への変換を介さずに、放電から可視光が生成される場合、高い光源効率に関して、最も有利である。なぜなら、変換の場合には、固有のストークスシフトが、生成される可視光の光源効率を低下させるからである。
【０００８】
ルーメン／ワットで表わされる光源効率は、ランプによって放射される全光束と、ランプによって放射される全光出力との間の比率である。同じくルーメン／ワットで表わされる発光効率は、ランプによって放射される全光束と、ランプに入力される全電力との間の比率である。発光効率は、電力が光出力に変換される効率を乗算した光源効率と等しい。
【発明の開示】
【発明が解決しようとする課題】
【０００９】
本発明の目的は、インジウム化合物を備えるガス充填物を含む低圧ガス放電ランプの光源効率及び発光効率を各々向上させることにある。
【課題を解決するための手段】
【００１０】
本発明によれば、これは、より少ない発光プロセスが用いられる低圧ガス放電ランプによって達成される。前記低圧ガス放電ランプは、ハロゲン化インジウムInX、又は幾つかのハロゲン化インジウムの混合物をベースにしたガス充填物を収容するガス放電容器を有し、ここで、X = F、Cl、Br、Iである。特有の特徴として、前記ガス充填物は、ハロゲン化ナトリウムNaX、又は幾つかのハロゲン化ナトリウムの混合物を更に含み、ここで、X = F、Cl、Br、Iである。１つ以上のハロゲン化ナトリウムから成る付加的な構成要素は、５９０ナノメートルの範囲の光を放射する。その場合、白色光を得るために赤色蛍光体を使用することは不要である。
【００１１】
本発明によるガス放電ランプは、４５１ナノメートルの波長を持つ光、ＵＶ放射線を変換する１つ以上の蛍光体の青色及び緑色の光、並びに５９０ナノメートルの波長を持つ光を放射する。
【００１２】
他の重要な点は、前記ハロゲン化ナトリウムの蒸気分圧(partial vapor pressure)pNaXが、前記ハロゲン化インジウムの蒸気分圧pInXと比べて非常に低いことである。それ故、両方の構成要素を同程度に蒸発させることは不可能である。結果として、５９０ナノメートルの特有の範囲のハロゲン化ナトリウムの放射線は、４５１ナノメートルの特有の範囲のハロゲン化インジウムの放射線と比べて非常に弱い。
【００１３】
それ故、好ましい実施例においては、前記ガス充填物は、モノハロゲン化インジウム(indium monohalides)及びハロゲン化ナトリウムの塩混合物であって、前記モノハロゲン化インジウムの含有率が非常に低い塩混合物を有する。ラウールの法則によれば、前記塩の構成要素は、前記構成要素の濃度に応じて蒸発される。それ故、蒸発される前記構成要素の間の関係は、或る混合比を与えることによって制御され得る。モル比n(InX) : n(NaX)は、容器温度Tとは無関係の、対応蒸気分圧：pInX (T) = pNaX (T)を得るために、好ましくは＜1%であり、とりわけ＜10-4である。
【００１４】
他の好ましい実施例においては、用いられるハロゲンが臭素である。
【００１５】
他の好ましい実施例においては、前記構成要素は、白色光を得るための割合で混合される。
【００１６】
本発明によれば、低い圧力で分子ガス放電が行われ、前記ガス放電は、電磁スペクトルの可視領域内の放射線を放射する。このようにして、前記放電の前記放射線の直接使用がなされ、発光プロセスに起因するストークスシフト損失が生じるのが防止される、又は少なくとも低減される。
【００１７】
蛍光体層との組み合わせにおいて、本発明によるランプは、従来の低圧放電ランプの発光プロセスより実質的に効率的である発光プロセスを持つ。結果として、本発明によるランプは、一般に、より高い光源効率を持つ。
【国際調査報告】
2008537303.tif 000002
2008537303.tif 000003
2008537303.tif 000004